(57)【要約】  【課題】  光源の配置などの設計の自由度を確保し一層の小形化の要請に沿うことができ、組立時の煩わしい調整工程が回避でき、且つ、光センサユニットを複数備えなくとも常に各光ビームの状態を検出可能な、異角入射方式を用いた画像露光装置を提供する。  【解決手段】  異角入射方式の画像露光装置で、主走査方向の始点同期タイミングを得る単一の光センサユニット１６を備え、光センサユニットにより検出可能な各光ビームの出力レベルを求める出力レベル検出手段３８，３４Ｒ，３４Ｇ，３４Ｂと、露光光路内において各光ビームの出力レベルを画素データに基づいて変調する第一変調手段と、露光光路外において各光ビームの出力レベルを前記出力レベル検出手段により求められた出力レベル以上の出力レベルに変調する第二変調手段を備える。  【選択図】  図１
2005035235.tif 000002
【特許請求の範囲】
【請求項１】
互いに異なる狭帯域波長の光ビームを異なる角度で射出する複数の光源と、同一反射面に入射した前記光ビームを主走査方向に偏向反射して同一の走査線上を所定の間隔で順次走査して感光材料を露光する偏向光学系と、前記偏向光学系による前記感光材料への露光光路外に配置され、前記主走査方向の始点同期タイミングを得る単一の光センサユニットを備えた画像露光装置であって、
前記光センサユニットにより検出可能な各光ビームの出力レベルを求める出力レベル検出手段と、
露光光路内において各光ビームの出力レベルを画素データに基づいて変調する第一変調手段と、
露光光路外において各光ビームの出力レベルを前記出力レベル検出手段により求められた出力レベル以上の出力レベルに変調する第二変調手段を備えてある画像露光装置。
【請求項２】
前記出力レベル検出手段は、装置への電源投入時に作動するように設定されている請求項１記載の画像露光装置。
【請求項３】
前記出力レベル検出手段は、前記露光光路内に感光材料が存在しないときに作動するように設定されている請求項１記載の画像露光装置。
【請求項４】
前記出力レベル検出手段または前記第二変調手段の作動時に、前記光センサユニットにより何れかの光ビームが検出されないときに故障と診断する自己診断手段を備えてある請求項１から３の何れかに記載の画像形成装置。
【請求項５】
互いに異なる狭帯域波長の光ビームを異なる角度で射出する複数の光源と、同一反射面に入射した前記光ビームを主走査方向に偏向反射して同一の走査線上を所定の間隔で順次走査して感光材料を露光する偏向光学系と、前記偏向光学系による前記感光材料への露光光路外に配置され、前記主走査方向の始点同期タイミングを得る光センサユニットを備えた画像露光装置であって、
前記光センサユニットの検出感度を、各光ビームの所定の出力レベルに対して検出可能な最低感度より高い感度に設定する感度設定手段と、
露光光路内において各光ビームの出力強度を画素データに基づいて変調する第一変調手段と、
露光光路外において各光ビームの出力レベルを前記所定の出力レベルに変調する第二変調手段を備えてある画像露光装置。
【請求項６】
互いに異なる狭帯域波長の光ビームを異なる角度で射出する複数の光源と、同一反射面に入射した前記光ビームを主走査方向に偏向反射して同一の走査線上を所定の間隔で順次走査して感光材料を露光する偏向光学系と、前記偏向光学系による前記感光材料への露光光路外に配置され、前記主走査方向の始点同期タイミングを得る光センサユニットを備えた画像露光装置であって、
露光光路内において各光ビームの出力強度を画素データに基づいて変調する第一変調手段と、
露光光路外において各光ビームの出力レベルを所定の出力レベルに変調する第二変調手段と、
前記第二変調手段の作動時に、前記光センサユニットの検出感度を各光ビームの所定の出力レベルに対して検出可能な最低感度より高い感度に夫々切換設定する感度設定手段を備えてある画像露光装置。
【請求項７】
前記感度設定手段は、装置への電源投入時に各光ビームの所定の出力レベルに対して検出可能な最低感度より高い感度を求めるように設定されている請求項５または６記載の画像露光装置。
【請求項８】
前記感度設定手段は、前記露光光路内に感光材料が存在しないときに各光ビームの所定の出力レベルに対して検出可能な最低感度より高い感度を求めるように設定されている請求項５または６記載の画像露光装置。
【請求項９】
前記感度設定手段または前記第二変調手段の作動時に、前記光センサユニットにより何れかの光ビームが検出されないときに故障と診断する自己診断手段を備えてある請求項５から８の何れかに記載の画像形成装置。
【請求項１０】
前記光ビームの出力レベルは、音響光学変調素子、電気光学変調素子、磁気光学変調素子の何れかにより変調される請求項１から９の何れかに記載の画像露光装置。
【請求項１１】
前記光ビームの出力レベルは、光源の駆動電流で変調される請求項１から９の何れかに記載の画像露光装置。
【発明の詳細な説明】
【技術分野】
【０００１】
本発明は、互いに異なる狭帯域波長の光ビームを異なる角度で射出する複数の光源と、同一反射面に入射した前記光ビームを主走査方向に偏向反射して同一の走査線上を所定の間隔で順次走査して感光材料を露光する偏向光学系と、前記偏向光学系による前記感光材料への露光光路外に配置され、前記主走査方向の始点同期タイミングを得る単一の光センサユニットを備えた、異角入射光学系を用いる画像露光装置に関する。
【背景技術】
【０００２】
近年、カラー画像を記録再生するために分光感度に波長依存性を有するカラー感光材料を使用して、フィルムスキャナにより写真フィルムから読み取られたカラーデジタル画像や、デジタルカメラにより撮影されメモリに記憶されたカラーデジタル画像などの各画素データに基づいて変調される赤、緑、青の狭帯域波長の各光ビームを画素毎に前記印画紙上に照射するデジタル方式の画像露光装置が実用化されている。
【０００３】
前記デジタル方式の画像露光装置は、主走査方向に偏向される光ビームを主走査方向と直交する副走査方向に搬送される感光材料に照射する走査露光方式が採用される。前記カラー感光材料に対する走査露光では、一般に、イエロー（Ｙ）、マゼンタ（Ｍ）、シアン（Ｃ）の３原色を発色させるため、青（Ｂ）、緑（Ｇ）、赤（Ｒ）の狭帯域波長の光ビームを感光材料上のほぼ同一の主走査線上で移動させる必要があり、図１１に示すように、光源７Ｒ，７Ｇ，７Ｂから射出されたＲ，Ｇ，Ｂの各光ビームを合波プリズム５４Ｒ，５４Ｇ，５４Ｂを用いて１本のビームに集光した後に光偏向光学系８に入射させて感光材料を露光する方式が広く採用されているが、合波のために高価な光学部品が必要となるばかりでなく、部品点数の増加や、光源の物理的配置などの制約があり小形化に不向きである。
【０００４】
一方、前記画像露光装置を低価格で小形に構成するよう、図１に示すように、青（Ｂ）、緑（Ｇ）、赤（Ｒ）の各色に対応する発光ダイオードや半導体レーザ７Ｒ，７Ｇ，７Ｂを用いた光源からの光ビームを感光材料上の同一の主走査線上の夫々異なる点に結像し、この線上で所定の間隔をおいて順次走査露光する上述した異角入射光学系を用いる場合には、感光材料に対する各光ビームの露光開始タイミング、つまり始点同期タイミングを検出する光センサユニットを感光材料への露光光路外に配置して、各光ビームによる露光タイミングを各別に制御する必要がある。
【０００５】
そのため、前記光センサユニットを各光ビームに対応させて個別に設けると、部品点数が増加し、小形化の目的に反するため、単一の光センサユニットにより各ビームを検出する構成が提案されている。この場合には、図９に示すように、イエロー（Ｙ）、マゼンタ（Ｍ）、シアン（Ｃ）により夫々異なる感光材料の感度に対応して青（Ｂ）、緑（Ｇ）、赤（Ｒ）の各光ビームが強度の異なる状態で走査されるので、一定感度に調整された前記光センサユニットにより一番強度の強い赤（Ｒ）の光ビームが検出されても、それよりも強度の弱い緑（Ｇ）や青（Ｂ）の光ビームが確実に検出されるとは限らず、何れかの光ビームが検出されなかった場合には、正確な画像が再現できなくなる。
【０００６】
そこで、複数の光ビームのうち最大の光強度で走査される光ビームを、他の光ビームより先に光センサユニットに入射するように光源を配置し、全ての光源を点灯して立ち上げる際に、光センサユニットが最大の光強度で走査される光ビームを検出した後に、他の光ビームを消灯して始点同期を行うよう構成し、先頭の最大の光強度で走査される光ビームの検出信号によって感光材料に対する各光ビームの露光の始点同期を行うものが提案されていた。
【特許文献１】特開平５−１９９３７２号公報
【発明の開示】
【発明が解決しようとする課題】
【０００７】
上述した特許文献１に記載された技術によれば、光センサユニットの設置位置と感光材料上の露光開始位置の距離、各光源の配置から定まる夫々の光ビームの主走査線上での間隔、及び、偏向光学系を構成するポリゴンミラーの回転速度と光路長などにより定まる主走査速度に基づいて、先頭の光ビームがセンサユニットにより検出された時点から各光ビームの感光材料に対する露光始位置迄の到達時間が夫々の光ビーム毎に一定に求まる点に着目して、光センサユニットにより始点検出信号が検出された後、光ビーム毎に異なる到達時間だけ遅延させる遅延回路を設けて夫々の露光開始タイミングが生成されていたので、以下に列記する種々の問題があった。
【０００８】
先ず、最大の光強度で走査される光ビームを、他の光ビームより先に光センサユニットに入射するように光源を配置しなければならないために、光源の配置の自由度が削がれフレキシブルな設計ができず、小形化のための設計が制限されるのである。一般に狭帯域波長の光ビームを射出する光源としてレーザを用いる場合には、図６に示すように、出力レベルの高い赤（Ｒ）は半導体レーザそのものが用いられ、緑（Ｇ）や青（Ｂ）は強度が弱いため、ＳＨＧ（Ｓｅｃｏｎｄ  Ｈａｒｍｏｎｉｃ  Ｇｅｎｅｒａｔｉｏｎ）レーザが使用される。しかし、夫々の筐体の大きさが異なるため、どのように配置するかにより装置全体のサイズが大きく左右されるのみならず、そのような画像露光装置が組み込まれるプリンタ装置の小形化にも制限が課されるものとなる。
【０００９】
次に、光源の取付位置のばらつきや変調素子の温度特性などにより、予め設定されている遅延時間が実際の遅延時間に対してずれる場合があり、そのような場合には、画像に色ずれなどが発生するため、組立時に機差による遅延時間の調整のための工程が必要になる。
【００１０】
さらには、画素データに基づいて光ビームを変調するために使用される音響光学素子の光軸などが、温度変化や機械的衝撃で僅かにでもずれると、正常な露光ができなくなるので、常に光ビームの状態を検出する必要があるのに対して、上述した画像露光装置では、そのような状態を検出するためにさらに別のセンサユニットが必要になるという不都合もあった。
【００１１】
本発明の目的は、上述した従来の問題点に鑑み、光源の配置などの設計の自由度を確保し一層の小形化の要請に沿うことができ、組立時の煩わしい調整工程が回避でき、且つ、光センサユニットを複数備えなくとも常に各光ビームの状態を検出可能な、異角入射光学系を用いた画像露光装置を提供する点にある。
【課題を解決するための手段】
【００１２】
上述の目的を達成するため、本発明による画像露光装置の第一の特徴構成は、特許請求の範囲の請求項１に記載した通り、互いに異なる狭帯域波長の光ビームを異なる角度で射出する複数の光源と、同一反射面に入射した前記光ビームを主走査方向に偏向反射して感光材料を露光する偏向光学系と、前記偏向光学系による前記感光材料への露光光路外に配置され、前記主走査方向の始点同期タイミングを得る単一の光センサユニットを備えた画像露光装置であって、前記光センサユニットにより検出可能な各光ビームの出力レベルを求める出力レベル検出手段と、露光光路内において各光ビームの出力レベルを画素データに基づいて変調する第一変調手段と、露光光路外において各光ビームの出力レベルを前記出力レベル検出手段により求められた出力レベル以上の出力レベルに変調する第二変調手段を備えてある点にある。
【００１３】
画像露光時の出力レベルとは無関係に、予め光センサユニットにより検出可能な各光ビームの出力レベルが出力レベル検出手段により求められる。各光源から射出された光ビームは、先ず、第二変調手段により前記出力レベル検出手段により求められた出力レベル以上の出力レベルに変調されて偏向光学系に導かれる結果、光センサユニットにより各光源に対する始点同期タイミングが確実に検出される。その後、露光光路内において、第一変調手段により各光ビームの出力レベルが画素データに基づいて変調され、感光材料が露光されるのである。
【００１４】
同第二の特徴構成は、特許請求の範囲の請求項２に記載した通り、上述の第一特徴構成に加えて、前記出力レベル検出手段は、装置への電源投入時に作動するように設定されている点にある。
【００１５】
各光源から射出される光ビームの出力レベルは温度補正など、環境条件に対する補正が施されている限りにおいて短時間で大きく変動することはないので、装置への電源投入時に出力レベル設定手段により各光ビームの出力強度を求めておけば、以後は求められた出力強度で出力されるように第二変調手段によりドライブされ始点同期タイミングが確実に検出されるので、画像の露光の度に出力レベル設定手段を作動させる必要がない。
【００１６】
同第三の特徴構成は、特許請求の範囲の請求項３に記載した通り、上述の第一特徴構成に加えて、前記出力レベル検出手段は、前記露光光路内に感光材料が存在しないときに作動するように設定されている点にある。
【００１７】
露光光路内に感光材料が存在しないときに出力レベル検出定手段が作動するように構成すれば、感光材料に影響を与えることなく、電源投入時のみ作動させる構成に比べて、より確実を期すことができるのである。
【００１８】
同第四の特徴構成は、特許請求の範囲の請求項４に記載した通り、上述の第一から第三の何れかの特徴構成に加えて、前記出力レベル検出手段または前記第二変調手段の作動時に、前記光センサユニットにより何れかの光ビームが検出されないときに故障と診断する自己診断手段を備えてある点にある。
【００１９】
出力レベル検出手段により何れかの光源からの光ビーム強度を上昇させても光センサユニットにより対応する光ビームが検出されない場合や、第二変調手段の作動時に光ビームが検出されず、始点同期タイミングが検出されないときには、正常な動作が期待されないので、自己診断手段により故障と診断される。これにより、異常な画像が出力されるような無駄な動作が回避され、早期に故障復旧作業に取り掛かることが可能となる。
【００２０】
同第五の特徴構成は、特許請求の範囲の請求項５に記載した通り、互いに異なる狭帯域波長の光ビームを異なる角度で射出する複数の光源と、同一反射面に入射した前記光ビームを主走査方向に偏向反射して感光材料を露光する偏向光学系と、前記偏向光学系による前記感光材料への露光光路外に配置され、前記主走査方向の始点同期タイミングを得る光センサユニットを備えた画像露光装置であって、前記光センサユニットの検出感度を、各光ビームの所定の出力レベルに対して検出可能な最低感度より高い感度に設定する感度設定手段と、露光光路内において各光ビームの出力強度を画素データに基づいて変調する第一変調手段と、露光光路外において各光ビームの出力レベルを前記所定の出力レベルに変調する第二変調手段を備えてある点にある。
【００２１】
上述の構成によれば、感度設定手段により、光センサユニットの検出感度が各光ビームの所定の出力レベルに対して検出可能な最低感度より高い感度に設定されるので、出力レベルが最小の光ビームであっても、始点同期タイミングを確実に検出できる。
【００２２】
同第六の特徴構成は、特許請求の範囲の請求項６に記載した通り、互いに異なる狭帯域波長の光ビームを異なる角度で射出する複数の光源と、同一反射面に入射した前記光ビームを主走査方向に偏向反射して同一の走査線上を所定の間隔で順次走査して感光材料を露光する偏向光学系と、前記偏向光学系による前記感光材料への露光光路外に配置され、前記主走査方向の始点同期タイミングを得る光センサユニットを備えた画像露光装置であって、露光光路内において各光ビームの出力強度を画素データに基づいて変調する第一変調手段と、露光光路外において各光ビームの出力レベルを所定の出力レベルに変調する第二変調手段と、前記第二変調手段の作動時に、前記光センサユニットの検出感度を各光ビームの所定の出力レベルに対して検出可能な最低感度より高い感度に夫々切換設定する感度設定手段を備えてある点にある。
【００２３】
上述の構成によれば、光センサユニットの検出感度が、各光ビームの出力レベルに応じて適切な感度に切換設定されるので、限られた感度調節範囲内であっても、始点同期タイミングを確実に検出できる。
【００２４】
同第七の特徴構成は、特許請求の範囲の請求項７に記載した通り、上述の第五または第六の特徴構成に加えて、前記感度設定手段は、装置への電源投入時に各光ビームの所定の出力レベルに対して検出可能な最低感度より高い感度を求めるように設定されている点にある。
【００２５】
上述した第二の特徴構成と同様に、各光源から射出される光ビームの出力レベルは温度補正など、環境条件に対する補正が施されている限りにおいて短時間で大きく変動することはないので、感度設定手段により、装置への電源投入時に光センサユニットによる検出可能な感度を求めておけば、以後はその感度により光ビームを確実に検出可能となる。
【００２６】
同第八の特徴構成は、特許請求の範囲の請求項８に記載した通り、上述の第五または第六の特徴構成に加えて、前記感度設定手段は、前記露光光路内に感光材料が存在しないときに各光ビームの所定の出力レベルに対して検出可能な最低感度より高い感度を求めるように設定されている点にある。
【００２７】
上述した第三の特徴構成と同様に、露光光路内に感光材料が存在しないときに出力レベル検出定手段が作動するように構成すれば、感光材料に影響を与えることなく、電源投入時のみ作動させる構成に比べて、より確実を期すことができるのである。
【００２８】
同第九の特徴構成は、特許請求の範囲の請求項９に記載した通り、上述の第五から第八の何れかの特徴構成に加えて、前記感度設定手段または前記第二変調手段の作動時に、前記光センサユニットにより何れかの光ビームが検出されないときに故障と診断する自己診断手段を備えてある点にある。
【００２９】
上述した第四の特徴構成と同様、異常な画像が出力されるような無駄な動作が回避され、早期に故障復旧作業に取り掛かることが可能となる。
【００３０】
同第十の特徴構成は、特許請求の範囲の請求項１０に記載した通り、上述の第一から第九の何れかの特徴構成に加えて、前記光ビームの出力レベルは、音響光学変調素子、電気光学変調素子、磁気光学変調素子の何れかにより変調される点にある。
【００３１】
同第十一の特徴構成は、特許請求の範囲の請求項１１に記載した通り、上述の第一から第九の何れかの特徴構成に加えて、前記光ビームの出力レベルは、光源の駆動電流で変調される点にある。
【発明の効果】
【００３２】
以上説明した通り、本発明によれば、光源の配置などの設計の自由度を確保し一層の小形化の要請に沿うことができ、組立時の煩わしい調整工程が回避でき、且つ、光センサユニットを複数備えなくとも常に各光ビームの状態を検出可能な、異角入射光学系を用いた画像露光装置を提供することができるようになった。
【発明を実施するための最良の形態】
【００３３】
以下に本発明による画像露光装置の実施の形態を説明する。図２に示すように、露光量に応じた色濃度を示し露光される光の波長に応じて発色する感光材料であるロール状の印画紙が格納された印画紙格納部１と、印画紙格納部１から供給される印画紙に対して、原画像の画像データに応じて走査露光を施す画像露光装置が格納された画像形成部２と、画像形成部２で露光された印画紙を薬液が充填された槽内に搬送し、現像、定着処理を施す現像部３と、現像処理後の印画紙を乾燥させる乾燥部４と、原画像の画像データの保存や編集処理が実行され、印画紙に対する露光データが前記画像露光装置に供給されるコンピュータ５などを備えてデジタル写真プリンタが構成される。
【００３４】
図３に示すように、画像形成部２の上部に位置する印画紙格納部１は、それぞれ異なるサイズのロール状の印画紙（感光体）Ｐを格納するための２つのペーパーマガジン１ａ，１ｂを備え、ユーザーが求める出力画像のサイズに応じて、供給する印画紙Ｐが切り換えられるように設定されている。画像形成部２は、上記したように、印画紙格納部１から供給される印画紙Ｐを搬送する搬送装置としての搬送ローラＲ１〜Ｒ５と、印画紙Ｐに対して走査露光を行なう画像露光装置６を備えている。
【００３５】
画像露光装置６は、図１に示すように赤（Ｒ）、緑（Ｇ）、青（Ｂ）夫々に対応した、互いに異なる狭帯域波長の光ビームを異なる角度で射出する複数の光源７Ｒ，７Ｇ，７Ｂと、同一反射面に入射した光ビームを主走査方向に偏向反射して感光材料である印画紙Ｐを露光する偏向光学系８と、偏向光学系８による印画紙Ｐへの露光光路外に配置され、主走査方向の始点同期タイミングを得る単一の光センサユニット１６と、制御部３０などを備えて構成される。
【００３６】
赤色光源ユニット７Ｒは、光軸に沿って順に赤色レーザダイオード１０Ｒ、レンズ群１１Ｒ、音響光学変調素子（以下、「ＡＯＭ」と記す。）１２Ｒ、調光部１３Ｒを配置して構成され、さらに、赤色レーザダイオード１０Ｒに対する温度調整ユニットや制御回路が配置されている。ここに、レンズ群１１Ｒは、赤色レーザダイオード１０から出射した光ビームを平行光に整形し、後段のＡＯＭ１２Ｒの光入射口に導くためのレンズ群である。
【００３７】
ＡＯＭ１２Ｒは、音波による振動により透明媒質中に作り出された密度分布に起因する屈折率分布が位相回折格子として働くことによる回折現象、いわゆる音響光学回折を利用した光変調器であり、印加する超音波の強度を変えることによって、回折された光の強度を変調するものである。このＡＯＭ１２Ｒには、ＡＯＭドライバ１５Ｒが接続されており、このＡＯＭドライバ１５Ｒから、画像データに応じて振幅が変調された高周波信号が入力されると、音響光学媒質内に上記高周波信号に応じた超音波が伝搬され、このような音響光学媒質内をレーザ光が透過すると、音響光学効果が作用することによって回折が生じ、高周波信号の振幅に応じた強度のレーザ光がＡＯＭ１２Ｒから回折光として出射される。
【００３８】
調光部１３Ｒは、ＡＯＭ１２Ｒにより変調されたレーザ光の強度を調整する部材であり、例えばＮＤフィルタや、大きさの異なる複数の開口部が設けられた回転板などによって構成される。半導体レーザや固体レーザなどの発光素子は、安定した状態で発光を行うことのできる光量の範囲が決まっているので、この調光部１３Ｒによる光量の調整によって、印画紙の発色特性に応じて広いダイナミックレンジとなるような光量範囲で露光を行うことが可能となる。
【００３９】
緑色光源ユニット７Ｇは、光軸に沿って緑色ＳＨＧ（Ｓｅｃｏｎｄ  Ｈａｒｍｏｎｉｃ  Ｇｅｎｅｒａｔｉｏｎ）レーザユニット１０Ｇ、ＡＯＭ１２Ｇ、調光部１３Ｇを配置して構成され、温度調整ユニットや制御回路が配置されている。緑色ＳＨＧレーザユニット１０Ｇは、ＹＡＧレーザなどの固体レーザ、及び該固体レーザから出射されたレーザ光から第２次高調波を取り出す波長可変部などが設けられ、例えば、ＹＡＧレーザから１０６４ｎｍの波長のレーザ光が出射される場合、第２次高調波である波長５３２ｎｍのレーザ光が生成され出射される。尚、緑色ＳＨＧレーザユニット１０Ｇ内には、レンズ群１１Ｒと同等の機能を有する光学系が配置されている。
【００４０】
青色光源ユニット７Ｂも、緑色光源ユニット７Ｇとほぼ同様に構成され、光軸に沿って青色成分の波長のレーザ光を出射する青色ＳＨＧレーザユニット１０Ｂ、ＡＯＭ１２Ｂ、調光部１３Ｂを配置して構成され、温度調整ユニットや制御回路が配置されている。ＡＯＭ１２Ｇ，１２Ｂ、調光部１３Ｇ，１３Ｂは、赤色光源ユニット７Ｒにおいて説明したＡＯＭ１２Ｒ、調光部１３Ｒと同様に構成される。尚、各光源ユニット７Ｒ，７Ｇ，７Ｂに関しては、図６に示すように、ＡＯＭ１２Ｒ，１２Ｇ，１２Ｂ、調光部１３Ｒ，１３Ｇ，１３Ｂを光源ユニットの外部に配置して構成する場合もある。
【００４１】
各光源ユニット７Ｒ，７Ｇ，７Ｂから射出された光ビームは夫々反射ミラー１４Ｒ，１４Ｇ，１４Ｂ、シリンドリカルレンズ１７Ｒ，１７Ｇ，１７Ｂを介して、ポリゴンミラー１８及びｆθレンズ２０でなる偏向光学系８の同一反射面に異なる角度で入射し、主走査方向に偏向反射して同一の走査線上を所定の間隔で順次走査して感光材料を露光するよう構成される。
【００４２】
シリンドリカルレンズ１７Ｒ，１７Ｇ，１７Ｂは、反射ミラー１４Ｒ，１４Ｇ，１４Ｂで反射された光ビームを、副走査方向においてポリゴンミラー１８の反射面上に集光させ、ポリゴンミラー１８の反射面に面倒れ誤差（反射面の法線方向が正常な主走査面からずれる誤差）が生じている場合の補正（面倒れ補正）を行うためのものである。
【００４３】
ポリゴンミラー１８は、横断面が正多角形となる柱状体の側面が反射面に構成され、ポリゴンドライバ１９によって一定の角速度で回転駆動される回転体であり、ポリゴンミラー１８の１つの反射面で反射されて印画紙Ｐ方向に向かう光ビームは、ポリゴンミラー１８の回転に応じて主走査方向に偏向される。ポリゴンミラー１８の回転によって１つの反射面における光ビームの反射が終わると、その反射面に隣接する反射面に光ビームの照射が移り、同じ範囲で主走査方向に光ビームの反射方向が移動する。このように、１つの反射面で一本の走査ラインが走査され、隣接する反射面で次の走査ラインが走査されることになるので、副走査方向に隣合う走査ライン同士の間のタイムラグを極めて小さくすることが可能になる。
【００４４】
ｆθレンズ２０は、ポリゴンミラー１８から印画紙Ｐに到る光路長の変動により、印画紙Ｐに照射される光ビームの走査面の両端近傍で生じる像の歪みを補正し、走査線上のビーム速度を一定にする光学系で、複数のレンズから構成される。ここで、ｆθレンズ２０が有効に働く範囲が最大露光幅となる。
【００４５】
ポリゴンミラー１８から印画紙Ｐに到る光ビームの主走査範囲の外側、つまり、偏向光学系８による印画紙Ｐへの露光光路外に、赤（Ｒ）、緑（Ｇ）、青（Ｂ）各光ビームによる主走査の始点同期タイミングを検出する単一の光センサユニット１６が配置され、ポリゴンミラー１８から反射された光ビームがミラー２１に反射され、光センサユニット１６により検出されるように構成されている。尚、光センサユニット１６は、偏向光学系８による印画紙Ｐへの露光光路外で、光ビームが検出された後に印画紙Ｐの端部に達するまでの時間が把握できるような位置であれば、その設置位置は特に制限されるものではなく、上述のようにミラー２１などを介して検出される以外に直接検出されるものであってもよい。
【００４６】
印画紙Ｐは、マイクロステップドライバ２４による制御信号により精密制御されるマイクロステップモータ２３で駆動される搬送ローラ２２などでなる搬送部９により、紙面に垂直な方向、つまり副走査方向に一定の速度で搬送され、以って、印画紙Ｐ上で主走査方向及び副走査方向で構成される面上に画像データが露光される。
【００４７】
以下に、上述した画像露光装置６の制御部３０の構成及び動作タイミングを、図４及び図５に基づいて説明する。尚、以下、制御部３０とＡＯＭドライバ１５Ｒ，１５Ｇ，１５Ｂとの接続ブロックのみを図面に示しているが、光源ユニット７Ｒ，７Ｇ，７Ｂやポリゴンドライバ１９などの制御対象要素も制御部３０により制御されるものである。また、赤（Ｒ）、緑（Ｇ）、青（Ｂ）の各画像データに対応して個別に構成される要素には符号Ｒ，Ｇ，Ｂを付して説明するが、図４及び以下の説明では、それらを纏めて記載する場合もあるので注意されたい。
【００４８】
図４に示すように、制御部３０は、ＣＰＵ３８と、コンピュータ５から赤（Ｒ）、緑（Ｇ）、青（Ｂ）の各画像データが書き込まれるフレームメモリ３１と、フレームメモリ３１に格納された画像データから主走査に必要な１ライン分の赤（Ｒ）、緑（Ｇ）、青（Ｂ）夫々の画像データが格納される三つのラインメモリ３２Ｒ，３２Ｇ，３２Ｂと、主走査の画素間隔を規定する基準クロック発生回路３３と、光センサユニット１６により検出される赤（Ｒ）、緑（Ｇ）、青（Ｂ）夫々の始点同期信号に同期して基準クロック発生回路３３からの基準クロック信号を同期出力するクロック同期回路３５Ｒ，３５Ｇ，３５Ｂと、メモリコントローラ３４Ｒ，３４Ｇ，３４Ｂと、切換スイッチ３６Ｒ，３６Ｇ，３６Ｂと、Ｄ／Ａコンバータ３７Ｒ，３７Ｇ，３７Ｂなどを備えて構成される。
【００４９】
画像露光時には、ＣＰＵ３８により各光源ユニット７Ｒ，７Ｇ，７ｂが駆動されるとともに、ポリゴンドライバ１９が駆動され、各光源ユニットの出力が一定に立ち上がり、ポリゴンミラー１８の回転速度が一定速度に立ち上がると、コンピュータ５から一時的にフレームメモリ３１に書き込まれた原画像の画像データまたは原画像に所定の画像処理が施された画像データから、主走査方向の画像データがＲ，Ｇ，Ｂそれぞれ１ライン毎に所定のタイミングで対応するラインメモリ３Ｒ，３２Ｇ，３２Ｂに読み出される。各ラインメモリ３２Ｒ，３２Ｇ，３２Ｂには、画素に対応して主走査方向の順序を示すアドレスが付与されており、メモリコントローラ３４Ｒ，３４Ｇ，３４Ｂの制御により、各アドレスに格納されている画像データ（以下「画素データ」という。）が、切換スイッチ３６Ｒ，３６Ｇ，３６Ｂを介して接続されているＤ／Ａコンバータ３７Ｒ，３７Ｇ，３７Ｂに順次送られる。
【００５０】
例えば、ラインメモリ３２Ｒから送られる画素データが有している濃度情報としてのデジタルデータが、Ｄ／Ａコンバータ３７Ｒにより０から１Ｖのアナログ電圧に変換されてＡＯＭドライバ１５Ｒに印加され、対応するＡＯＭ１２Ｒが駆動される。以上により光源ユニット７Ｒ，７Ｇ，７Ｂから出射された夫々のレーザ光が、画素データに対応してＡＯＭ１２Ｒ，１２Ｇ，１２Ｂにより変調され、変調された光ビームが偏向走査部８により偏向されて印画紙Ｐ上で走査露光される。
【００５１】
光センサユニット１６は、各ラインデータに基づいた印画紙Ｐへの露光の直前に赤（Ｒ）、緑（Ｇ）、青（Ｂ）夫々の光ビームを検出して始点同期信号を各別に生成するもので、例えば図７（ａ）に示すように、微小な間隔を隔てて光ビームの走査方向にそれぞれ配置された第１及び第２の受光部Ｄ１，Ｄ２を備えた二分割センサが使用される。詳述すると、同図（ｂ）に示すように、受光部Ｄ１，Ｄ２に光ビームが照射されることにより、その強度に応じて時間的にずれた電圧出力Ｖ１，Ｖ２が得られ、同図（ｃ）に示すように、当該検出電圧Ｖ１、Ｖ２を電圧比較器に入力し、Ｖ２＞Ｖ１であればハイレベル、Ｖ１＞Ｖ２であればローレベルの信号を出力することで始点同期信号が生成されるもので、出力電圧Ｖ１，Ｖ２の一致する点が光ビームの強度によらず光ビームの位置に対応した一定の時点となることに着目し、光ビームの強度にかかわらず光ビームの走査タイミングに高精度に同期した始点同期信号が生成可能なものである。
【００５２】
クロック同期回路３５Ｒ，３５Ｇ，３５Ｂは、基準クロック発生回路３３から出力される一定周期の連続した源クロック信号が入力され、光センサユニット１６により検出された対応する光ビームの始点同期信号に同期したクロック信号を出力する。メモリコントローラ３４Ｒ，３４Ｇ，３４Ｂには、光センサユニット１６及びクロック同期回路３５Ｒ，３５Ｇ，３５Ｂの出力が接続されており、これらに基づいてラインメモリ３２Ｒ，３２Ｇ，３２Ｂからの画素データの読み出しを制御するコントロール信号、切換スイッチ３６Ｒ，３６Ｇ，３６Ｂを制御する切換信号、及び画素データの代わりにＤ／Ａコンバータ３７に入力する補助データが出力される。
【００５３】
Ｄ／Ａコンバータ３７Ｒ，３７Ｇ，３７Ｂは、入力されるデジタル値が変化すればＡＯＭドライバ１５Ｒ，１５Ｇ，１５Ｂへのアナログデータ値が変化するようになっている。そして、Ｄ／Ａコンバータ３７Ｒ，３７Ｇ，３７Ｂへの入力データの更新タイミングは同期クロックに同期され、通常、高速のＤ／Ａコンバータにはデータの更新周期の数倍の周期のクロックを入力する必要があり、周波数逓倍回路３９により同期クロックの周波数を所定倍にした逓倍クロックが入力される。
【００５４】
メモリコントローラ３４Ｒ，３４Ｇ，３４Ｂは、自身が備えているカウンタ３４ａによりクロック同期回路３５Ｒ，３５Ｇ，３５Ｂから夫々入力された同期クロックをカウントし、そのカウント値と自身が備えているメモリ３４ｂに記憶されている設定値とに基づいて、画素データの読み出しの開始をラインメモリ３２Ｒ，３２Ｇ，３２Ｂに指示するコントロール信号を出力する。ここで、各カウント値は、メモリコントローラ３４Ｒ，３４Ｇ，３４Ｂに入力される始点同期信号によってリセットされる。つまり、カウント値はライン毎にリセットされる。以上により、光ビームを走査する際における走査範囲での光ビームの位置がカウンタ３４ａのカウント値に対応付けられ、それぞれのカウント値によって光ビームの走査位置が認識可能に構成される。
【００５５】
そして、赤（Ｒ）、緑（Ｇ）、青（Ｂ）夫々の光ビームを走査する際に光ビームが印画紙Ｐの露光開始位置に到達するときのカウント値が、設定値として各メモリ３４ｂに記憶されている。この設定値は、印画紙Ｐの幅などに基づいて決定されるもので、コンピュータ５からの指示によりメモリコントローラ３４に接続されているＣＰＵ３８によって適宜変更されるものである。
【００５６】
これらカウント値と設定値とに基づいて、メモリコントローラ３４Ｒ，３４Ｇ，３４Ｂは画素データの読み出しを開始すべきタイミングを認識し、コントロール信号によってラインメモリ３２Ｒ，３２Ｇ，３２Ｂに読み出しを指示する。ラインメモリ３２Ｒ，３２Ｇ，３２Ｂには、クロック同期回路３５Ｒ，３５Ｇ，３５Ｂの出力である同期クロックが夫々入力されている。そして、ラインメモリ３２Ｒ，３２Ｇ，３２Ｂに対してコントロール信号によって画素データの読み出しの開始が指示された後は、同期クロックに同期して、順次各画素データが読み出される。
【００５７】
また、メモリコントローラ３４Ｒ，３４Ｇ，３４Ｂは、切換スイッチ３６Ｒ，３６Ｇ，３６Ｂを制御する切換信号を生成するようになっている。ここで、各切換スイッチ３６Ｒ，３６Ｇ，３６Ｂは、２つのスリーステートバッファ３６ａ，３６ｂで構成され、スリーステートバッファ３６ａは、インバータ３６ｃによって反転された切換信号により制御され、スリーステートバッファ３６ｂは、反転されない切換信号により制御される。各切換スイッチ３６Ｒ，３６Ｇ，３６Ｂにより、Ｄ／Ａコンバータ３７Ｒ，３７Ｇ，３７Ｂへ入力するデータラインとして、画素データを送るラインメモリ３２Ｒ，３２Ｇ，３２ＢからのデータラインＬ１と補助データを送るメモリコントローラ３４Ｒ，３４Ｇ，３４ＢからのデータラインＬ２の中から何れか一方が選択される。ここでは、切換信号がハイレベルであるときには、画素データ側のデータラインＬ１が切断され、補助データ側のデータラインＬ２が接続される。一方、切換信号がローレベルであるときには、補助データ側のデータラインＬ２が切断され、画素データ側のデータラインＬ１が接続される。
【００５８】
補助データは、各光ビームが走査範囲における画像領域以外の部分に位置するときにＡＯＭドライバ１５を駆動するための変調データで、後述の出力レベル検出手段により装置への電源投入時に検出設定される始点同期タイミング検出用の補助データと、始点同期タイミング検出時以外の時期に各光ビームの出力をオフする補助データとからなり、各コントローラ３４Ｒ，３４Ｇ，３４Ｂの内部メモリ３４ｃに格納されている。メモリコントローラ３４Ｒ，３４Ｇ，３４Ｂは、各光ビームが始点検出用の光センサユニット１６を照射するタイミングにおいて、各光ビームの照射タイミングが重畳しないタイミングで夫々補助データを出力し、光センサユニット１６を照射するタイミング以外において、光ビームの光量が０となるデータを出力する。
【００５９】
詳述すると、各コントローラ３４Ｒ，３４Ｇ，３４Ｂの内部メモリ３４ｄには始点同期タイミング検出のためのデータとして、光センサユニット１６により最初に検出されるべき光ビームに対応するコントローラから順に各光ビームが光センサユニット１６上で重畳して照射されることの無いタイミングのデータが格納されており、カウンタ３４ａによるカウント値が内部メモリ３４ｄに設定されたデータと一致した時期から所定時間だけ始点同期タイミング検出用の補助データが出力される。
【００６０】
各メモリコントローラ３４Ｒ，３４Ｇ，３４Ｂは、画像領域と画像領域以外とを識別可能にすべく上述した切換信号として、光ビームによる画像領域の走査期間のみハイレベルを出力し、その他の期間でローレベルを出力する。この切換信号の出力タイミングも、上述したコントロール信号及び補助データの場合と同様に予め設定されたカウント値に基づくものであり、これらにより、各Ｄ／Ａコンバータ３７Ｒ，３７Ｇ，３７Ｂへ始点検出のために光ビームを所定の強度で出力させる際の補助データ、画像領域外で光ビームをオフさせる補助データ、及び、画像領域内における画素データの３種類のデータを光ビームの走査位置に応じて適宜出力可能に構成される。
【００６１】
一方、図示していないが、副走査方向に対する露光開始位置の同期制御も前記メモリコントローラにより以下のようになされる。副走査方向の露光ピッチに対応した基準クロック発生回路が設けられ、前記搬送部９に設置された紙端検出センサによる印画紙の先端部の検出信号をトリガーとして、基準クロック発生回路の出力クロックがカウントされ、カウント値が予め設定された印画紙の先端部が露光位置に搬送される時間に対応するカウント値と一致した時点が露光開始タイミングと判断される。
【００６２】
以下に、上述した出力レベル検出手段による始点同期タイミング検出用の補助データの設定について、図８に示すフローチャートに基づいて説明する。デジタル写真プリンタに電源が投入されると、画像露光装置６に給電され、ＣＰＵ３８はプログラムに基づき立ち上がり、内部レジスタやメモリ等に対する初期設定動作の実行後（Ｓ１）、各光源ユニット７Ｒ，７Ｇ，７ｂ、及び、ポリゴンドライバ１９を駆動し、各光源ユニットの出力、及び、ポリゴンミラー１８の回転速度を一定に立ち上げる（Ｓ２）。
【００６３】
このとき各メモリコントローラ３４Ｒ，３４Ｇ，３４Ｂは、切換スイッチ３６Ｒ，３６Ｇ，３６Ｂにより、Ｄ／Ａコンバータ３７Ｒ，３７Ｇ，３７Ｂへ入力するデータラインとしてデータラインＬ２を選択し、補助データとして光ビームの光量が０となるデータを出力する（Ｓ３）。その後、ＣＰＵ３８から赤（Ｒ）の光ビームに対応するメモリコントローラ３４Ｒに対して、光センサユニット１６による始点検出用の補助データとして最大光量に対応するデータが書き込まれ、メモリコントローラ３４Ｒは始点検出用の補助データを出力してＡＯＭ１５Ｒを駆動する（Ｓ４）。
【００６４】
ＣＰＵ３８は、光センサユニット１６の出力を検出して、適正に始点検出されるか否かを判断し（Ｓ５）、適正に検出されると、以後段階的に光量を低下させる補助データ出力してＡＯＭ１５Ｒを駆動する（Ｓ６）。このようにしてＣＰＵ３８は、光センサユニット１６による検出可能な最小の光量に対応する補助データの値を得て、その値に所定のマージンを持たせた値を始点検出用の補助データとして決定して（Ｓ７）、メモリコントローラ３４Ｒに設定入力する（Ｓ８）。尚、ステップＳ５からＳ７の処理はメモリコントローラ自身で行なっても良い。
【００６５】
ステップＳ４からＳ８と同様の処理をメモリコントローラ３４Ｇ，３４Ｂに対しても行なうことにより（Ｓ９，Ｓ１０）、赤（Ｒ）、緑（Ｇ）、青（Ｂ）夫々の光ビームに対する始点検出用の補助データが決定され、メモリコントローラ３４Ｒ，３４Ｇ，３４Ｂに格納される。即ち、ＣＰＵ３８と、各メモリコントローラ３４Ｒ，３４Ｇ，３４Ｂによる上述の処理ブロックが、出力レベル検出手段を構成する。
【００６６】
上述したように、切換スイッチ３６Ｒ，３６Ｇ，３６Ｂにより、Ｄ／Ａコンバータ３７Ｒ，３７Ｇ，３７Ｂへ入力するデータラインとして、画素データを送るラインメモリ３２Ｒ，３２Ｇ，３２ＢからのデータラインＬ１が選択されたときの、メモリコントローラ３４Ｒ，３４Ｇ，３４Ｂ、ラインメモリ３２Ｒ，３２Ｇ，３２Ｂ、Ｄ／Ａコンバータ３７Ｒ，３７Ｇ，３７Ｂ、ＡＯＭドライバ１５Ｒ，１５Ｇ，１５Ｂにより、露光光路内において各光ビームの出力レベルを画素データに基づいて変調する第一変調手段が構成され、切換スイッチ３６Ｒ，３６Ｇ，３６Ｂにより、Ｄ／Ａコンバータ３７Ｒ，３７Ｇ，３７Ｂへ入力するデータラインとして、補助データを送るメモリコントローラ３４Ｒ，３４Ｇ，３４ＢからのデータラインＬ２が選択されたときの、メモリコントローラ３４Ｒ，３４Ｇ，３４Ｂ、ラインメモリ３２Ｒ，３２Ｇ，３２Ｂ、Ｄ／Ａコンバータ３７Ｒ，３７Ｇ，３７Ｂ、ＡＯＭドライバ１５Ｒ，１５Ｇ，１５Ｂにより、露光光路外において各光ビームの出力レベルを前記出力レベル検出手段により求められた出力レベル以上の出力レベルに変調する第二変調手段が構成される。
【００６７】
上述した出力レベル検出手段は、装置への電源投入時に作動するように設定されているが、画像露光時に、露光光路内に感光材料が搬送されるまでの間に作動するように設定されるものであってもよい。この場合には、例えば印画紙に対する露光処理の度に確実に始点同期のための各光源ユニットの出力が調整できるので、より信頼性が向上する。
【００６８】
上述した構成で、出力レベル検出手段の作動時または第二変調手段による始点同期処理時に、前記光センサユニット１６により何れかの光ビームが検出されないときに、当該画像露光装置が故障であると診断する自己診断手段を備えて、露光処理を中断し、デジタル写真プリンタの操作パネルに故障表示を行なうように構成することで、異常なプリント出力による感光材料の無駄な消費を回避するように構成することができる。このような自己診断手段は、ＣＰＵ３８とその実行プログラムと周辺回路により構成される。
【００６９】
前記Ｄ／Ａコンバータ３７Ｒ，３７Ｇ，３７ＢとＡＯＭドライバ１５Ｒ，１５Ｇ，１５Ｂのインターフェースについて別の態様を説明する。図１０に示すように、ＡＯＭドライバ１５Ｒ，１５Ｇ，１５Ｂの夫々に、高周波信号の発振器４０と、発振器４０の出力電圧の振幅を画像データまたは補助データに応じたＤ／Ａコンバータ３７Ｒ，３７Ｇ，３７Ｂの出力電圧により変調する第一乗算器４１と、第一乗算器４１の出力電圧を０から１００パーセントの間で１パーセント単位に可変変調する第二乗算器４２と、第二乗算器４２による変調度合いを設定する変調度切換回路４３とを備えて構成される変調回路を設けることにより、始点検出時の光ビームの強度を通常の画像データによる露光時より高く設定し、確実に始点同期タイミングを検出できるように構成することもできる。
【００７０】
前記変調度切換回路４３は、０から９９パーセントの間で変調度を可変設定可能な電子ボリウム４３ａと、電子ボリウム４３ａによる設定値で変調するか、１００パーセントで変調するかを選択する選択スイッチ４３ｂとでなり、通常の画像データによる変調時には、変調度切換回路４３による変調度が５０パーセントに設定され、Ｄ／Ａコンバータの０から１Ｖの間の出力電圧が０から０．５Ｖの間の電圧に変調されてＡＯＭドライバに印加され、始点同期のための補助データによる変調時には、Ｄ／Ａコンバータの０から１Ｖの間の出力電圧が０から１Ｖの間で変調され、通常の画像露光時の最大光ビーム強度よりも強い強度の光ビームを出力できるように構成されている。尚、変調度切換回路４３による変調度の切換制御は上述のメモリコントローラにより行なわれるように構成すればよい。
【００７１】
上述した制御部３０の具体的構成は例示に過ぎず、これに限定されるものではない。適宜公知の回路素子を用いて同等の機能を実現すべく構成可能であり、さらに、赤（Ｒ）、緑（Ｇ）、青（Ｂ）夫々の光ビームに応じて、対応する制御部を個別の基板に構成するものであってもよい。
【００７２】
上述した実施形態では、光センサユニット１６により始点同期タイミングを確実に検出するために、出力レベル検出手段により、画像露光時の強度とは無関係に光ビームが十分な強度で出力されるように補助データを設定するものを説明したが、光センサユニット１６により始点同期タイミングを確実に検出するために、光センサユニット１６の検出感度を、各光ビームの所定の出力レベルに対して検出可能な最低感度より高い感度に設定する感度設定手段を設けて、第二変調手段の作動時に各光ビームの出力レベルを前記所定の出力レベルに変調するように構成してもよい。感度設定手段としては、例えば、光センサユニットの検出レベルを増幅するアンプをそのゲインが切替えられるように構成し、適切な出力が得られるゲインに切替設定するように構成することで実現できる。ここで、前記所定の出力レベルとして、第一変調手段による光ビームの最大強度、またはそれに近い強度とすることが可能であり、それ以上の強度に設定されるものであってもよい。
【００７３】
さらには、上述した第二変調手段の作動時に、光センサユニット１６の検出感度を各光ビームの所定の出力レベルに対して検出可能な最低感度より高い感度に夫々切換設定する感度設定手段を備えて、始点同期タイミング検出時に光センサユニットの感度を各光ビームに対応して切換えるように構成することも可能である。
【００７４】
上述した感度設定手段による設定感度は、装置への電源投入時に各光ビームの所定の出力レベルに対して検出可能な最低感度より高い感度を求めて設定されるように構成すればよく、通常の露光時に、露光光路内に感光材料が存在しないときに各光ビームの所定の出力レベルに対して検出可能な最低感度より高い感度を求めて設定されるものでもよい。ここで、前記所定の出力レベルとして、第一変調手段による光ビームの最大強度、またはそれに近い強度とすることが可能であり、それ以上の強度に設定されるものであってもよい。
【００７５】
上述した実施形態では、光ビームの強度変調をＡＯＭを用いて実施するものを説明したが、変調素子としてＡＯＭに代えて、例えば電気光学変調素子（ＥＯＭ）、磁気光学変調素子（ＭＯＭ）を適用してレーザ光の強度変調を行うように構成することも可能である。
【００７６】
上述した実施形態では、ＡＯＭなどの変調素子を用いて光ビームの出力レベルを可変するものを説明したが、光源として半導体レーザやフォトダイオードを使用する場合には、ＡＯＭなどの変調素子を用いずに、それらの駆動電流により出力レベルを直接で変調するように構成することも可能である。
【００７７】
さらに、本発明を具現化するために、課題を解決するための手段の項で述べた各構成要素を適宜組み合わせて構成することが可能である。
【図面の簡単な説明】
【００７８】
【図１】画像露光装置の構成の説明図
【図２】デジタル写真プリンタの外観の説明図
【図３】デジタル写真プリンタの要部の内部説明図
【図４】画像露光装置の制御部の回路ブロック構成図
【図５】画像露光装置の動作を示すタイミングチャート
【図６】画像露光装置の配置図
【図７】光センサユニットの説明図
【図８】出力レベル検出手段による動作を示すフローチャート
【図９】感光材料の分光感度特性図
【図１０】ＡＯＭドライバ回路の説明図
【図１１】合波プリズムを用いて各光ブームを１本に集光する方式の画像露光装置の説明図
【符号の説明】
【００７９】
６：画像露光装置
７Ｒ，７Ｇ，７Ｂ：光源（光源ユニット）
８：偏向光学系
１６：光センサユニット
１８：ポリゴンミラー
２０：ｆθレンズ
３０：制御部
Ｐ：印画紙
【図１】
2005035235.tif 000003
【図２】
2005035235.tif 000004
【図３】
2005035235.tif 000005
【図４】
2005035235.tif 000006
【図５】
2005035235.tif 000007
【図６】
2005035235.tif 000008
【図７】
2005035235.tif 000009
【図８】
2005035235.tif 000010
【図９】
2005035235.tif 000011
【図１０】
2005035235.tif 000012
【図１１】
2005035235.tif 000013